(57)【要約】【課題】波長変換装置に入射される光の光路を比較的長くしつつ、小型化を図ることができる光源装置及びプロジェクターを提供すること。【解決手段】光源装置は、第１照明光軸に沿って青色光を出射する第１光源部と、第１光源部に対して並んで配置され、第１照明光軸と略平行な第２照明光軸に沿って励起光を出射する第２光源部と、第２光源部から出射された励起光を、第１照明光軸及び第２照明光軸に交差する第３照明光軸に沿うように反射させる反射部材と、反射部材によって反射された励起光が、第１照明光軸と交差した後に入射され、励起光とは波長が異なる変換光を、励起光の入射方向とは反対方向に出射する波長変換装置と、第１照明光軸と第３照明光軸との交差部位に位置し、青色光及び励起光を透過し、変換光を第１照明光軸に沿うように反射させる光合成装置と、を備える。【選択図】図４
2018124445.tif 000002
【特許請求の範囲】
【請求項１】
第１照明光軸に沿って青色光を出射する第１光源部と、
前記第１光源部に対して並んで配置され、前記第１照明光軸と略平行な第２照明光軸に沿って励起光を出射する第２光源部と、
前記第２光源部から出射された前記励起光を、前記第１照明光軸及び前記第２照明光軸に交差する第３照明光軸に沿うように反射させる反射部材と、
前記反射部材によって反射された前記励起光が、前記第１照明光軸と交差した後に入射され、前記励起光とは波長が異なる変換光を、前記励起光の入射方向とは反対方向に出射する波長変換装置と、
前記第１照明光軸と前記第３照明光軸との交差部位に位置し、前記青色光及び前記励起光を透過し、前記変換光を前記第１照明光軸に沿うように反射させる光合成装置と、を備えることを特徴とする光源装置。
【請求項２】
請求項１に記載の光源装置において、
前記第２光源部と前記反射部材との間に配置され、前記第２光源部から出射された前記励起光を集光する第１レンズと、
前記反射部材と前記光合成装置との間に配置され、前記反射部材によって反射された前記励起光を平行化する第２レンズと、
前記光合成装置と前記波長変換装置との間に配置され、前記励起光を前記波長変換装置に集光させ、前記波長変換装置から入射される前記変換光を平行化して前記光合成装置に入射させる励起光用集光素子と、を備えることを特徴とする光源装置。
【請求項３】
請求項２に記載の光源装置において、
前記第２レンズと前記光合成装置との間に配置され、入射される前記励起光を拡散させる拡散素子を備えることを特徴とする光源装置。
【請求項４】
請求項１から請求項３のいずれか一項に記載の光源装置において、
前記第１光源部と前記光合成装置との間に配置され、前記第１光源部から出射された前記青色光を拡散させる拡散装置を備えることを特徴とする光源装置。
【請求項５】
請求項４に記載の光源装置において、
前記第１光源部は、それぞれ前記青色光を出射する複数の固体光源を有し、
前記光源装置は、前記第１光源部と前記拡散装置との間に配置され、前記複数の固体光源から出射された前記青色光を前記拡散装置に重畳させる重畳素子を備え、
前記重畳素子は、１枚のレンズによって構成されていることを特徴とする光源装置。
【請求項６】
請求項４又は請求項５に記載の光源装置において、
前記拡散装置と前記光合成装置との間に配置され、前記拡散装置から出射された前記青色光を平行化して前記光合成装置に入射させる平行化素子を備えることを特徴とする光源装置。
【請求項７】
請求項１から請求項６のいずれか一項に記載の光源装置において、
前記光合成装置は、入射される光の波長に基づいて、前記青色光及び前記励起光を透過し、前記変換光を反射させることを特徴とする光源装置。
【請求項８】
請求項１から請求項７のいずれか一項に記載の光源装置において、
前記第１光源部及び前記第２光源部は、隙間を介して配置されていることを特徴とする光源装置。
【請求項９】
請求項８に記載の光源装置において、
前記第１光源部及び前記第２光源部と接続される放熱部材を備えることを特徴とする光源装置。
【請求項１０】
請求項１から請求項９のいずれか一項に記載の光源装置において、
前記第１光源部は、前記青色光を出射する青色固体光源を有し、
前記第２光源部は、前記励起光を出射する励起固体光源を有し、
前記励起固体光源の数は、前記青色固体光源の数より多いことを特徴とする光源装置。
【請求項１１】
請求項１から請求項１０のいずれか一項に記載の光源装置と、
前記光源装置から出射された光を変調する光変調装置と、
前記光変調装置によって変調された光を投射する投射光学装置と、を備えることを特徴とするプロジェクター。
【発明の詳細な説明】
【技術分野】
【０００１】
本発明は、光源装置及びプロジェクターに関する。
【背景技術】
【０００２】
従来、プロジェクターに採用される光源装置として、青色光と蛍光（黄色光）とを含む白色光を出射する光源装置が知られている（例えば、特許文献１参照）。
この特許文献１に記載の光源装置では、固体光源ユニットから出射された青色光は、２つのレンズによって小径化された後、拡散板によって拡散されて面内照度が均一化され、１／２波長板に入射される。この１／２波長板は、入射された青色光のうち、９０〜７０％がｓ偏光成分となり、１０〜３０％がｐ偏光成分となるように、光軸が調整されている。このような１／２波長板を通過した青色光は、ダイクロイックミラーに入射される。
ダイクロイックミラーは、青色光のうち、ｓ偏光成分を反射させ、ｐ偏光成分を透過させる特性を有する他、緑色光及び赤色光を透過する特性を有する。すなわち、特許文献１に記載のダイクロイックミラーは、波長選択的偏光分離特性を有する。このようなダイクロイックミラーに１／２波長板から入射された青色光のうち、ｓ偏光成分は、蛍光発光板側に反射され、ｐ偏光成分は、偏光方向変換部側に透過される。
【０００３】
蛍光発光板側に反射されたｓ偏光成分は、コンデンサレンズによって集光されて蛍光発光板に入射され、当該蛍光発光板から上記蛍光が出射される。この蛍光は、上記コンデンサレンズによって集光及び平行化され、上記ダイクロイックミラーを通過する。
一方、偏光方向変換部側に透過されたｐ偏光成分は、１／４波長板及び反射板によってｓ偏光成分に変換され、ダイクロイックミラーによって、上記蛍光の通過方向と同方向に反射される。
これにより、光源装置から、蛍光及び青色光を含む白色光が出射される。
【先行技術文献】
【特許文献】
【０００４】
【特許文献１】特開２０１２−１３７７４４号公報
【発明の概要】
【発明が解決しようとする課題】
【０００５】
しかしながら、上記特許文献１に記載の光源装置では、固体光源ユニットから波長変換装置である蛍光発光板への光路（Ｌ字状の光路）と、当該固体光源ユニットから反射板への光路とは、同じ光路長である。このため、光源装置が大型化しやすいという問題がある。これに対し、固体光源ユニットから反射板への光路長を維持したままで、固体光源ユニットから波長変換装置への光路長を短くして、光源装置の小型化を図ることが考えられる。
しかしながら、固体光源ユニットから波長変換装置までの光路長を短くすると、蛍光発光板に入射される青色光を上記コンデンサレンズ等によって十分に小径化することが困難になる。この場合、蛍光発光板から拡散出射されてコンデンサレンズに入射される蛍光の光量が低下し、光源装置から出射される光量が低下しやすいという問題がある。
【０００６】
本発明は、波長変換装置に入射される光の光路を比較的長くしつつ、小型化を図ることができる光源装置及びプロジェクターを提供することを目的の１つとする。
【課題を解決するための手段】
【０００７】
本発明の第１態様に係る光源装置は、第１照明光軸に沿って青色光を出射する第１光源部と、前記第１光源部に対して並んで配置され、前記第１照明光軸と略平行な第２照明光軸に沿って励起光を出射する第２光源部と、前記第２光源部から出射された前記励起光を、前記第１照明光軸及び前記第２照明光軸に交差する第３照明光軸に沿うように反射させる反射部材と、前記反射部材によって反射された前記励起光が、前記第１照明光軸と交差した後に入射され、前記励起光とは波長が異なる変換光を、前記励起光の入射方向とは反対方向に出射する波長変換装置と、前記第１照明光軸と前記第３照明光軸との交差部位に位置し、前記青色光及び前記励起光を透過し、前記変換光を前記第１照明光軸に沿うように反射させる光合成装置と、を備えることを特徴とする。
【０００８】
上記第１態様によれば、第１光源部及び第２光源部から出射された青色光及び励起光は、それぞれ互いに略平行な第１照明光軸及び第２照明光軸に沿って進行する。これらのうち、励起光は、反射部材によって反射されて、上記第１照明光軸に交差する第３照明光軸に沿って進行して波長変換装置に入射される。これによれば、青色光の光路より、励起光の光路を長くすることができるので、光学部品を配置する等して、当該励起光の光束径を小さくしやすくすることができ、変換光を光合成装置に入射させやすくすることができる。また、第１光源部及び第２光源部が互いに並んで配置されていて、第１光源部に対して第２光源部が青色光及び励起光の出射方向にずれていないこと、並びに、励起光が、青色光の光路のように一方向のみに直進するのではなく、反射部材によって反射されることにより、当該励起光の光路長を長くしつつ、光源装置をコンパクトに構成できる。従って、光源装置の小型化を図ることができる。
【０００９】
また、青色光を出射する第１光源部と、励起光を出射する第２光源部とが、それぞれ設けられていることから、上記特許文献１に記載の光源装置のように、１つの光源部から出射された青色光の偏光方向を回転させて、ｓ偏光成分及びｐ偏光成分を生じさせる位相差素子（１／２波長板）が必要ない。更に、第１光源部及び第２光源部の点灯を個別に制御することが可能となるので、青色光及び励起光のそれぞれの光量を調整する場合でも、当該位相差素子を回動させる回動装置が必要ない。従って、光源装置の小型化を図りやすくすることができる他、これら青色光及び励起光の光量バランス、ひいては、光源装置から出射される光束の色バランスを調整しやすくすることができる。
これらに加えて、光合成装置として、青色光及び励起光を透過し、変換光を反射させるダイクロイックミラーやダイクロイックプリズムを採用できる。この場合、光合成装置として偏光分離素子が採用される場合に比べて、光源装置を安価に構成できる。この他、光合成装置が、偏光状態ではなく波長に応じて入射光の透過及び反射を実施できる。従って、入射される光の偏光状態がずれた場合でも、光源装置から出射される光の色バランスにずれが生じることを抑制できる。
【００１０】
上記第１態様では、前記第２光源部と前記反射部材との間に配置され、前記第２光源部から出射された前記励起光を集光する第１レンズと、前記反射部材と前記光合成装置との間に配置され、前記反射部材によって反射された前記励起光を平行化する第２レンズと、前記光合成装置と前記波長変換装置との間に配置され、前記励起光を前記波長変換装置に集光させ、前記波長変換装置から入射される前記変換光を平行化して前記光合成装置に入射させる励起光用集光素子と、を備えることが好ましい。
このような構成によれば、上記第１レンズによって、第２光源部から出射された励起光を集光できるので、当該励起光を効率よく波長変換装置に入射させることができる。
また、上記第２レンズによって、平行化された励起光は、励起光用集光素子によって集光されて波長変換装置に入射される。これによれば、波長変換装置から拡散出射される変換光の光束径を小さくすることができる。従って、波長変換装置から出射される変換光を当該励起光用集光素子に入射させやすくすることができる。
更に、当該励起光用集光素子は、波長変換装置から入射された変換光を平行化して光合成装置に入射させるので、当該変換光が拡散されることを抑制できる。従って、当該光合成装置を介して出射される青色光と変換光との光束径を揃えやすくすることができる。
【００１１】
上記第１態様では、前記第２レンズと前記光合成装置との間に配置され、入射される前記励起光を拡散させる拡散素子を備えることが好ましい。
ここで、波長変換装置上での励起光による照明領域に照度むらが生じ、局所的に照度が高い励起光が当該照明領域に入射されると、熱飽和が生じやすくなり、変換光への波長変換効率が低下するだけでなく、波長変換装置の寿命が短縮される可能性がある。
これに対し、上記拡散素子によって拡散された励起光が、励起光用集光素子によって集光されて波長変換装置に入射されるので、当該励起光による照明領域に照度むらが発生することを抑制できる。従って、上記熱飽和の発生を抑制でき、変換光への波長変換効率の低下、及び、波長変換装置の寿命の短縮を抑制できる。
【００１２】
上記第１態様では、前記第１光源部と前記光合成装置との間に配置され、前記第１光源部から出射された前記青色光を拡散させる拡散装置を備えることが好ましい。
ここで、第１光源部から出射される青色光がレーザー光である場合、当該レーザー光が散乱されると、スペックルと呼ばれる明暗の斑点模様が確認される。このようなスペックルは、光源装置から出射された光束によって形成される画像の画質を劣化させる。
これに対し、上記拡散装置が、青色光を拡散させることによって、上記スペックルを低減できる。従って、上記画像の劣化を抑制できる。
なお、このような拡散装置は、入射された光を反射させつつ拡散させる反射型の拡散装置だけでなく、入射された光を透過させつつ拡散させる透過型の拡散装置が挙げられる。これらのうち、透過型の拡散装置が採用される場合には、青色光の光路長が延びることを抑制でき、光源装置の小型化を図りやすくすることができる。
【００１３】
上記第１態様では、前記第１光源部は、それぞれ前記青色光を出射する複数の固体光源を有し、前記光源装置は、前記第１光源部と前記拡散装置との間に配置され、前記複数の固体光源から出射された前記青色光を前記拡散装置に重畳させる重畳素子を備え、前記重畳素子は、１枚のレンズによって構成されていることが好ましい。
このような構成によれば、上記励起光用集光素子を有する場合と同様に、重畳素子によって、入射される青色光を拡散装置に効率よく入射させることができる。また、この重畳素子は、各固体光源から出射された光を拡散装置に重畳させるので、拡散装置から出射される拡散光に、輝度むらが生じることを抑制できる。これにより、拡散装置から出射される青色光の中心軸に直交する面内の照度を略均一にすることができる。従って、光源装置から出射された光束による照明領域に照度むらが発生することを抑制でき、ひいては、光源装置から出射された光束によって形成される画像に色むらが発生することを抑制できる。また、この重畳素子は１枚のレンズによって構成されるので、重畳素子が配置されることによって青色光の光路が長くなることを抑制でき、光源装置の小型化を図りやすくすることができる。
【００１４】
上記第１態様では、前記拡散装置と前記光合成装置との間に配置され、前記拡散装置から出射された前記青色光を平行化して前記光合成装置に入射させる平行化素子を備えることが好ましい。
ここで、拡散装置にて拡散された青色光が光合成装置にそのまま入射されると、当該青色光が進行するに従って光束径が大きくなる。
これに対し、上記平行化素子によって当該青色光が平行化されるので、青色光の広がりを抑制できる。なお、光源装置が上記励起光用集光素子を有する場合には、これら励起光用集光素子及び平行化素子によって、青色光及び変換光のそれぞれの光束径を揃えやすくすることができる。このため、光源装置から出射される光束による照明範囲において、青色光による照明範囲と変換光による照明範囲とを一致させやすくすることができる。従って、光源装置がプロジェクターに採用された場合に、当該プロジェクターが有する光学部品のうち、当該光源装置から出射された光束が最初に入射される光学部品にて照度低下及び色バランスのくずれが発生することを抑制でき、ひいては、当該プロジェクターによって投射される画像の色バランスのくずれや色むらが発生することを抑制できる。
【００１５】
上記第１態様では、前記光合成装置は、入射される光の波長に基づいて、前記青色光及び前記励起光を透過し、前記変換光を反射させることが好ましい。
このような構成によれば、上記のように、光合成装置としてダイクロイックミラー又はダイクロイックプリズムを採用できるので、偏光分離素子が採用される場合に比べて、光源装置を安価に構成できる。この他、光合成装置での青色光及び励起光の透過、並びに、変換光の反射を、偏光状態ではなく波長に応じて実施できる。このため、当該光合成装置に入射される光の偏光状態がずれた場合でも、光源装置から出射される光の色バランスにずれが生じることを抑制できる。
【００１６】
上記第１態様では、前記第１光源部及び前記第２光源部は、隙間を介して配置されていることが好ましい。
このような構成によれば、隙間によって、第１光源部及び第２光源部の一方にて生じた熱が他方に伝達されにくくすることができる。従って、これら第１光源部及び第２光源部の温度上昇を抑制でき、青色光及び励起光の出射効率が低下することを抑制できる。
【００１７】
上記第１態様では、前記第１光源部及び前記第２光源部と接続される放熱部材を備えることが好ましい。
このような構成によれば、第１光源部及び第２光源部にて生じた熱を放熱部材によって放熱できる。従って、これら第１光源部及び第２光源部の温度上昇を抑制でき、青色光及び励起光の出射効率の低下を抑制できる。この他、第１光源部及び第２光源部のそれぞれに応じて放熱部材を設ける必要がないので、部品点数の増加を抑制できる。
【００１８】
上記第１態様では、前記第１光源部は、前記青色光を出射する青色固体光源を有し、前記第２光源部は、前記励起光を出射する励起固体光源を有し、前記励起固体光源の数は、前記青色固体光源の数より多いことが好ましい。
ここで、励起光は、波長変換装置に入射されて変換光に変換されるが、波長変換装置が変換光として黄色光を生成し、光源装置が白色光を出射する場合には、第１光源部が出射する青色光の光量より多くの励起光が必要となる。更に、波長変換装置による励起光の波長変換効率を考慮すると、更に多くの励起光が必要となる。
これに対し、励起固体光源の数は、青色固体光源の数より多いので、第１光源部から出射される青色光の光量より多くの励起光を第２光源部が出射できる。従って、光源装置により白色光を出射しやすくすることができる。
【００１９】
本発明の第２態様に係るプロジェクターは、上記光源装置と、前記光源装置から出射された光を変調する光変調装置と、前記光変調装置によって変調された光を投射する投射光学装置と、を備えることを特徴とする。
上記第２態様によれば、上記第１態様に係る光源装置と同様の効果を奏することができ、ひいては、プロジェクターの小型化を図ることができる。
【図面の簡単な説明】
【００２０】
【図１】本発明の一実施形態に係るプロジェクターの外観を示す斜視図。
【図２】上記実施形態における装置本体の構成を示す模式図。
【図３】上記実施形態における投射光学装置の内部構成を模式的に示す断面図。
【図４】上記実施形態における光源装置の構成を示す模式図。
【発明を実施するための形態】
【００２１】
以下、本発明の一実施形態を図面に基づいて説明する。
［プロジェクターの概略構成］
図１は、本実施形態に係るプロジェクター１の外観を示す斜視図である。具体的に、図１は、当該プロジェクター１を正面側上方から見た斜視図である。
本実施形態に係るプロジェクター１は、内部に設けられた光源装置４（図２参照）から出射された光を変調して画像情報に応じた画像を形成し、当該画像をスクリーン等の被投射面上に拡大投射するものである。このプロジェクター１は、装置本体（図１では図示省略）を収容する外装筐体２を備える。
このようなプロジェクター１は、詳しくは後述するが、光学部品のレイアウトに特徴の１つを有する光源装置４を備えている。
以下、プロジェクター１の各構成について説明する。
【００２２】
［外装筐体の構成］
外装筐体２は、筐体本体２１と、当該筐体本体２１に取り付けられ、当該筐体本体２１とともにプロジェクター１の外装を構成するカバー部材２８と、を備え、全体として略直方体形状に形成されている。
筐体本体２１は、天面部２２、底面部２３、正面部２４、背面部２５、左側面部２６及び右側面部２７を有し、背面部２５における右側面部２７側の部位（換言すると、右側面部２７における背面部２５側の部位）が切り欠かれた略直方体形状を有する。
天面部２２は、背面部２５側の位置に、第１傾斜部２２１及び第２傾斜部２２２によって形成される凹部２２０を有する。これら第１傾斜部２２１及び第２傾斜部２２２のうち、正面部２４側に位置する第１傾斜部２２１は、背面部２５側に向かうに従って底面部２３に近接する方向に傾斜しており、背面部２５側に位置する第２傾斜部２２２は、正面部２４側に向かうに従って底面部２３に近接する方向に傾斜している。この第２傾斜部２２２には、３つの開口部２２３〜２２４が形成されている。
【００２３】
開口部２２３は、第２傾斜部２２２の略中央に、台形状に形成されている。この開口部２２３は、後述する投射光学装置３５によって正面部２４側で、かつ、天面部２２側に出射された画像光が通過する開口部である。なお、開口部２２３は、可視光を透過する透光性部材ＴＭ１によって閉塞されている。
開口部２２４は、開口部２２３に対して背面部２５側に位置している。この開口部２２４内には、図示を省略するが、リモートコントローラーからの赤外線信号を受光する受光部が配置される。なお、開口部２２４も、赤外光を透過する透光性部材ＴＭ２によって閉塞されている。
開口部２２５は、開口部２２３に対して左側面部２６側に位置している。この開口部２２５内には、図示を省略するが、上記画像光の投射領域を撮像して、当該投射領域内の指示体の位置を検出する撮像装置が配置される。なお、開口部２２５も、透光性部材ＴＭ３によって閉塞されている。
正面部２４は、外装筐体２外の気体を冷却気体として導入する複数の導入口２４１を有し、右側面部２７は、外装筐体２内の冷却対象を冷却した冷却気体を排出する複数の排出口２７１を有する。
【００２４】
このような筐体本体２１は、上記のように、背面部２５及び右側面部２７の交差部分が略直角に切り欠かれており、当該交差部分において背面部２５と平行な面には、各種ケーブルが接続可能な端子部（図示省略）が設けられている。そして、当該交差部分は、カバー部材２８によって覆われることによって、当該端子部が露出せず、プロジェクター１の外観を良好なものとされている。なお、カバー部材２８は、当該交差部分に着脱可能に取り付けられるので、当該カバー部材２８を取り外すことによって、端子部へのケーブルの接続が可能となる。
【００２５】
なお、以下の説明及び図において、天面部２２と対向する方向から見て、開口部２２３を介して投射された画像光の進行方向を＋Ｚ方向とする。また、＋Ｚ方向にそれぞれ直交し、かつ、互いに直交する＋Ｘ方向及び＋Ｙ方向のうち、＋Ｙ方向を底面部２３から天面部２２に向かう方向とし、＋Ｘ方向を右側面部２７から左側面部２６に向かう方向とする。また、図示を省略するが、＋Ｚ方向とは反対方向を−Ｚ方向とする。
【００２６】
［装置本体の構成］
図２は、装置本体の構成を示す模式図である。
装置本体は、図２に示すように、画像投射装置３及び制御装置６を備える。この他、装置本体は、図示を省略するが、プロジェクター１を構成する電子部品に電力を供給する電源装置、及び、プロジェクター１を構成する冷却対象を冷却する冷却装置を備える。
これらのうち、制御装置６は、制御回路等を備えて構成され、プロジェクター１の動作を制御する。例えば、制御装置６は、後述する光変調装置３４３に画像情報（画像信号）を出力して、当該画像情報に応じた画像光を形成させる他、光源装置４の点灯や発光光量を制御する。
【００２７】
［画像投射装置の構成］
画像投射装置３は、上記制御装置６による制御の下、画像情報に応じた画像を形成及び投射する。この画像投射装置３は、＋Ｘ方向及び−Ｚ方向に沿う略Ｌ字状の光学ユニットとして構成されている。このような画像投射装置３は、光源装置４と、均一化装置３１、色分離装置３２、リレー装置３３、画像形成装置３４、投射光学装置３５及び光学部品用筐体３６と、を備える。
これらのうち、光源装置４は、＋Ｘ方向に沿って白色の光束（照明光）を出射する。この光源装置４の構成については、後に詳述する。
【００２８】
均一化装置３１は、光源装置４から入射される照明光の中心軸に対する直交面内の照度を均一化する。この均一化装置３１は、当該照明光の入射順に、第１レンズアレイ３１１、調光装置３１２、第２レンズアレイ３１３、偏光変換素子３１４及び重畳レンズ３１５を有する。なお、調光装置３１２は、無くてもよい。
【００２９】
これらのうち、偏光変換素子３１４は、詳しい図示を省略するが、偏光分離層、反射層及び位相差層をそれぞれ複数有する。
それぞれ複数の偏光分離層及び反射層は、第２レンズアレイ３１３から入射される光の中心軸にそれぞれ直交し、かつ、互いに直交する第１方向及び第２方向のうち第１方向に長く形成され、第２方向に交互に配列されている。なお、各偏光分離層は、第２レンズアレイ３１３から出射された各部分光束が入射される位置に配置され、各反射層は、当該各部分光束が直接入射されない位置に配置されている。
偏光分離層は、ｐ偏光を通過させ、ｓ偏光を反射させる。偏光分離層に応じて設けられる反射層は、当該偏光分離層にて反射されたｓ偏光を、ｐ偏光の通過方向に沿うように反射させる。そして、複数の位相差層のそれぞれは、偏光分離層を通過したｐ偏光の光路上に設けられ、入射されるｐ偏光をｓ偏光に変換する。これにより、偏光変換素子３１４から出射される光の偏光方向は、ｓ偏光に揃えられ、当該ｓ偏光が、偏光変換素子３１４の光出射面における略全面から出射される。なお、偏光変換素子３１４は、ｐ偏光を出射する構成としてもよい。
【００３０】
色分離装置３２は、均一化装置３１から入射される光束を、赤（Ｒ）、緑（Ｇ）及び青（Ｂ）の３つの色光に分離する。この色分離装置３２は、ダイクロイックミラー３２１，３２２及び反射ミラー３２３を有する。
リレー装置３３は、分離された３つの色光のうち、他の色光に比べて光路が長い赤色光の光路上に設けられる。このリレー装置３３は、入射側レンズ３３１、リレーレンズ３３３及び反射ミラー３３２，３３４を有する。
【００３１】
画像形成装置３４は、分離された各色光を画像情報に応じて変調した後、当該各色光を合成して画像光を形成する。この画像形成装置３４は、色光毎に設けられるフィールドレンズ３４１、入射側偏光板３４２、光変調装置３４３及び出射側偏光板３４４と、変調された各色光を合成して画像光を形成する１つの色合成装置３４５と、を有する。
これらのうち、光変調装置（赤、緑及び青用の光変調装置をそれぞれ３４３Ｒ，３４３Ｇ，３４３Ｂとする）は、本実施形態では液晶パネルを有する構成が採用されている。
また、色合成装置３４５は、本実施形態ではクロスダイクロイックプリズムにより構成されているが、複数のダイクロイックミラーを組み合わせた構成としてもよい。
【００３２】
図３は、投射光学装置３５の内部構成を模式的に示す断面図である。
投射光学装置３５は、画像形成装置３４から入射される画像光を上記被投射面上に拡大投射する。この投射光学装置３５は、図３に示すように、複数のレンズ３５１と、非球面ミラー３５２と、これらを内部に収納する中空状の保持体３５３と、を備える。
複数のレンズ３５１は、例えば、ズームレンズ及びフォーカスレンズを含む。なお、図３では、５つのレンズ３５１が図示されているが、投射光学装置３５を構成するレンズ３５１の数は、適宜変更可能である。
【００３３】
非球面ミラー３５２は、回転対称でない自由曲面形状の反射面３５２Ａが＋Ｚ方向側及び＋Ｙ方向側を向くように、投射光学装置３５における光路最下流に配置される。この非球面ミラー３５２は、複数のレンズ３５１により、−Ｚ方向側に導かれた画像光を＋Ｚ方向側及び＋Ｙ方向側に折り返すとともに、当該画像光を広角化する。
保持体３５３は、当該保持体３５３を収容する外装筐体２（図１参照）における天面部２２側の部位に、非球面ミラー３５２にて反射された画像光が通過する開口部３５４を有する。この開口部３５４には、可視光を透過させるガラス等の基板３５５が嵌め込まれている。これら開口部３５４及び基板３５５を通過した画像光は、上記開口部２２３（図１参照）を介して外装筐体２の外部に出射される。
【００３４】
図２に示すように、光学部品用筐体３６は、上記装置３１〜３４を構成する光学部品を内部に収容する。この光学部品用筐体３６には、設計上の光軸である照明光軸Ａｘが設定されており、光源装置４及び上記装置３１〜３５は、当該照明光軸Ａｘにおける所定位置に配置される。このため、光源装置４から出射される光の中心軸、すなわち、後述する第１照明光軸Ａｘ１（図４参照）は、照明光軸Ａｘと一致する。
【００３５】
［光源装置の構成］
図４は、光源装置４の構成を示す模式図である。
光源装置４は、上記のように、均一化装置３１に照明光を出射する。この光源装置４は、図４に示すように、光源部４１、プリズムミラー４２、集光レンズ４３、補助拡散素子４４、拡散装置４５、第１集光素子４６、アフォーカル光学装置４７、反射部材４８、拡散素子４９、第２集光素子５０、波長変換装置５１、光合成装置５２及び位相差板５３を有する。
【００３６】
これらのうち、光源部４１を構成する第１光源部４１１と、プリズムミラー４２、集光レンズ４３、補助拡散素子４４、拡散装置４５、第１集光素子４６及び位相差板５３とは、＋Ｘ方向に沿う第１照明光軸Ａｘ１上に配置されている。また、光源部４１を構成する第２光源部４１２と、アフォーカル光学装置４７を構成する第１レンズ４７１とは、第１照明光軸Ａｘ１と平行な第２照明光軸Ａｘ２上に配置されている。そして、アフォーカル光学装置４７を構成する第２レンズ４７２と、拡散素子４９、第２集光素子５０及び波長変換装置５１は、第１照明光軸Ａｘ１及び第２照明光軸Ａｘ２のそれぞれと＋Ｚ方向に沿って交差する第３照明光軸Ａｘ３上に配置される。更に、光合成装置５２は、第１照明光軸Ａｘ１と第３照明光軸Ａｘ３との交差部位に配置され、反射部材４８は、第２照明光軸Ａｘ２と第３照明光軸Ａｘ３との交差部位に配置される。なお、第１照明光軸Ａｘ１と第２照明光軸Ａｘ２とは、完全な平行でなくてもよい。また、第３照明光軸Ａｘ３は、第１照明光軸Ａｘ１及び第２照明光軸Ａｘ２のそれぞれに直交していなくてもよく、これら照明光軸Ａｘ１，Ａｘ２と交差していればよい。
【００３７】
［光源部の構成］
光源部４１は、第１光源部４１１、第２光源部４１２及び放熱部材４１３を有する。
第１光源部４１１及び第２光源部４１２は、＋Ｚ方向に沿って並んで配置され、それぞれ＋Ｘ方向に青色光を出射する。すなわち、第２光源部４１２は、第１光源部４１１に対して＋Ｚ方向側に配置されている。
これら第１光源部４１１及び第２光源部４１２のそれぞれは、複数の固体光源ＳＬが縦横に配置された固体光源ユニットＳＵを有する。具体的に、第１光源部４１１は、当該固体光源ユニットＳＵを１つ有し、第２光源部４１２は、当該固体光源ユニットＳＵを２つ有する。すなわち、第２光源部４１２が有する固体光源ＳＬ２（励起固体光源）の数は、第１光源部４１１が有する固体光源ＳＬ１（青色固体光源）の数より多く、第２光源部４１２が出射する青色光（励起光ＥＬ）の光量は、第１光源部４１１が出射する青色光（青色光ＢＬ）の光量より多い。これは、以下の理由による。
【００３８】
第１光源部４１１から出射された青色光は、光量が大きく損なわれることなく、第１照明光軸Ａｘ１に沿ってプリズムミラー４２、集光レンズ４３、補助拡散素子４４、拡散装置４５、第１集光素子４６、光合成装置５２及び位相差板５３を通過して、光源装置４外に出射される。
これに対し、第２光源部４１２から出射された青色光（励起光ＥＬ）は、波長変換装置５１での蛍光ＹＬ（緑色光及び赤色光を含む光）の生成に利用されることから、比較的多くの光量が求められる。また、蛍光ＹＬの生成量（出射光量）は、波長変換装置５１での波長変換効率に依存し、当該波長変換装置５１に入射する光量より少ない。
これらのことから、第１光源部４１１からの青色光の出射光量より、第２光源部４１２からの青色光の出射光量を多くする必要がある。このため、第２光源部４１２が有する固体光源ＳＬ２の数は、第１光源部４１１が有する固体光源ＳＬ１の数より多くしている。
【００３９】
また、第２光源部４１２が有する２つの固体光源ユニットＳＵは、＋Ｚ方向（すなわち、第１光源部４１１と第２光源部４１２とを結ぶ方向）に沿って並列配置されている。このため、＋Ｚ方向において、第２光源部４１２からの青色光の光束幅は、第１光源部４１１からの青色光の光束幅より大きくなりやすい。このような第２光源部４１２からの青色光を効率よく集光するために、アフォーカル光学装置４７の第１レンズ４７１が用いられる。
なお、図示を省略するが、固体光源ユニットＳＵは、当該固体光源ユニットＳＵに配設される固体光源ＳＬの数が縦横で異なる。そして、本実施形態では、固体光源ＳＬの数が少ない列が＋Ｚ方向に沿い、固体光源の数が多い行が第１照明光軸Ａｘ１又は第２照明光軸Ａｘ２と上記＋Ｚ方向とに直交する＋Ｙ方向に沿うように、各固体光源ユニットＳＵは配置される。これにより、光源装置４が、第２光源部４１２において固体光源ユニットＳＵの配列方向である＋Ｚ方向に大きくなることが抑制される。
【００４０】
これら固体光源ユニットＳＵに配設される固体光源ＳＬとして、本実施形態では、ピーク波長が４４０ｎｍのｓ偏光の青色光を出射するＬＤ（Laser Diode）が採用されている。しかしながら、ピーク波長が４４６ｎｍ又は４６０ｎｍの青色光を出射するＬＤを、固体光源ＳＬとして採用してもよい。また、ピーク波長が異なる青色光をそれぞれ出射する固体光源を、各光源部４１１，４１２に混在させてもよく、ｐ偏光の青色光を出射する固体光源を採用してもよい。
なお、第２光源部４１２から出射された青色光は、上記のように、波長変換装置５１に含まれる蛍光体を励起させる励起光として利用される。このことから、以下の説明では、第１光源部４１１から出射される青色光ＢＬと区別するために、第２光源部４１２から出射される青色光を、励起光ＥＬという場合がある。
【００４１】
これら第１光源部４１１及び第２光源部４１２の点灯は、上記のように、制御装置６によって制御される。このため、当該制御装置６により、第１光源部４１１による青色光ＢＬの出射光量、及び、第２光源部４１２による励起光ＥＬの出射光量を調整可能である。これにより、制御装置６が、これらの出射光量を調整することによって、光源装置４から出射される照明光の光量やホワイトバランス（色バランス）を調整することが可能である。
【００４２】
放熱部材４１３は、第１光源部４１１及び第２光源部４１２と接続され、これら光源部４１１，４１２から伝導される熱を放熱し、ひいては、当該光源部４１１，４１２を冷却する。また、放熱部材４１３は、これら第１光源部４１１及び第２光源部４１２を支持して、光源装置４を一体化する支持部材としての機能も有する。この放熱部材４１３は、図示を省略するが、各光源部４１１，４１２を支持する受熱部と、複数のフィンを有するヒートシンクと、を有する。
なお、第１光源部４１１及び第２光源部４１２は、上記＋Ｚ方向に互いに離間して、放熱部材４１３上に配置される。すなわち、第１光源部４１１と第２光源部４１２との間には、隙間ＧＰが形成されている。これは、第１光源部４１１及び第２光源部４１２の一方の熱が他方に影響を及ぼすことを抑制するためである。
【００４３】
［プリズムミラー及び集光レンズの構成］
プリズムミラー４２は、第１光源部４１１の各固体光源ＳＬ１から出射された青色光ＢＬを集光して出射する。具体的に、プリズムミラー４２は、各固体光源ＳＬ１から出射された青色光ＢＬの光路を変更して、第１光源部４１１から出射された青色光ＢＬの光束を縮径させる。
集光レンズ４３は、第１照明光軸Ａｘ１において第１光源部４１１と拡散装置４５との間（より具体的には、プリズムミラー４２と補助拡散素子４４との間）に位置する。この集光レンズ４３は、各固体光源ＳＬ１からプリズムミラー４２を介して入射される青色光ＢＬを、拡散装置４５の拡散層に集光する。詳述すると、集光レンズ４３は、各固体光源ＳＬ１から出射された青色光ＢＬを、当該拡散層に重畳させる。すなわち、集光レンズ４３は、重畳素子である。
【００４４】
［補助拡散素子の構成］
補助拡散素子４４は、第１照明光軸Ａｘ１において集光レンズ４３と拡散装置４５との間に位置する。この補助拡散素子４４は、拡散装置４５による青色光ＢＬの拡散を補助するものであり、集光レンズ４３から入射される青色光ＢＬを拡散させることによって、拡散装置４５に入射される青色光の光束径（光源像のサイズ）を調整する。このような補助拡散素子４４による光の拡散率は、拡散装置４５による光の拡散率より小さい。このような補助拡散素子４４は、例えば擦りガラスによって構成できる。
【００４５】
［拡散装置の構成］
拡散装置４５は、第１照明光軸Ａｘ１において第１光源部４１１と光合成装置５２との間に配置されている。具体的に、拡散装置４５は、補助拡散素子４４と第１集光素子４６との間に配置されている。この拡散装置４５は、集光レンズ４３から補助拡散素子４４を介して入射される青色光ＢＬを、所定の拡散率にて拡散透過させる。すなわち、拡散装置４５は、透過型の拡散装置である。
このような拡散装置４５は、入射される青色光ＢＬを拡散透過させる拡散層を有する基板４５１と、第１照明光軸Ａｘ１と略平行な回転軸を中心として基板４５１を回転させる回転装置４５２と、を有する。そして、拡散装置４５は、補助拡散素子４４によって拡散されて入射される青色光ＢＬを、波長変換装置５１から出射される蛍光ＹＬと同様の拡散角にて拡散透過させる。なお、拡散層は、基板４５１における青色光ＢＬの入射側の面に位置していてもよく、出射側の面に位置していてもよい。
なお、回転装置４５２は無くてもよいが、当該回転装置４５２によって上記基板４５１が回転されることにより、スペックルの低減が効果的に図られる。
【００４６】
［第１集光素子の構成］
第１集光素子４６は、第１照明光軸Ａｘ１において拡散装置４５と光合成装置５２との間に配置されている。この第１集光素子４６は、当該拡散装置４５から出射された青色光ＢＬを平行化して、光合成装置５２に入射させる平行化素子である。この第１集光素子４６は、本実施形態では、３つのレンズ４６１〜４６３を備えて構成されているが、当該第１集光素子４６を構成するレンズの数は、適宜変更可能である。
【００４７】
［アフォーカル光学装置及び反射部材の構成］
アフォーカル光学装置４７は、第２光源部４１２から出射された励起光ＥＬを集光して当該励起光ＥＬの光束径を縮径し、縮径された励起光ＥＬを平行化して出射する。このアフォーカル光学装置４７は、第１レンズ４７１及び第２レンズ４７２を有する。
第１レンズ４７１は、上記第２照明光軸Ａｘ２において第２光源部４１２と反射部材４８との間に配置されている。この第１レンズ４７１は、第２光源部４１２の各固体光源ＳＬ２から入射された励起光ＥＬを第２レンズ４７２に集光する。
第２レンズ４７２は、上記第３照明光軸Ａｘ３において反射部材４８と光合成装置５２との間（詳しくは、反射部材４８と拡散素子４９との間）に配置されている。この第２レンズ４７２は、第１レンズ４７１から反射部材４８を介して入射される励起光ＥＬを平行化する。
反射部材４８は、第２照明光軸Ａｘ２と第３照明光軸Ａｘ３との交差部位に位置する。この反射部材４８は、第１レンズ４７１から入射される励起光ＥＬを第３照明光軸Ａｘ３に沿うように反射させて、第２レンズ４７２に入射させる。
【００４８】
［拡散素子の構成］
拡散素子４９は、第３照明光軸Ａｘ３において第２レンズ４７２と光合成装置５２との間に配置され、当該第２レンズ４７２から入射される励起光ＥＬを拡散させる拡散板である。この拡散素子４９を通過することによって、励起光ＥＬの中心軸に直交する面内における照度のばらつきが抑制される。
ここで、上記拡散素子４９に代えて、一対のマルチレンズを有するホモジナイザー光学装置を採用することが考えられる。このホモジナイザー光学装置は、入射側のマルチレンズが、入射される励起光ＥＬを複数の部分光束に分割し、出射側のマルチレンズが、当該複数の部分光束を所定の位置（例えば波長変換素子５１１）に重畳させることによって、上記面内における励起光ＥＬの照度を均一化する機能を有する。しかしながら、このようなホモジナイザー光学装置は、高価である他、上記一対のマルチレンズ間に所定の距離が必要であるため、励起光ＥＬの光路長を長くしてしまい、光源装置４の小型化に不向きである。
これに対し、上記拡散素子４９を採用することによって、ホモジナイザー光学装置が採用される場合に比べて、光源装置４を安価に構成できる他、励起光ＥＬの光路長が長くなることを抑制できるので、当該光源装置４の小型化を図ることができる。
【００４９】
［第２集光素子の構成］
第２集光素子５０は、第３照明光軸Ａｘ３において光合成装置５２と波長変換装置５１との間に配置されている。この第２集光素子５０は、拡散素子４９から光合成装置５２を介して入射される励起光ＥＬを波長変換装置５１（波長変換素子５１１）に集光する他、当該波長変換装置５１から入射される蛍光ＹＬを平行化して出射する。すなわち、第２集光素子５０は、励起光用集光素子に相当する。
このような第２集光素子５０は、３つのレンズ５０１〜５０３を備えて構成されているが、当該第２集光素子５０を構成するレンズの数は、適宜変更可能である。
【００５０】
［波長変換装置の構成］
波長変換装置５１は、入射される励起光ＥＬによって励起され、当該励起光ＥＬとは異なる波長の蛍光ＹＬ（詳しくは緑色光及び赤色光を含む蛍光ＹＬであり、波長変換装置５１による変換光）を、当該励起光ＥＬの入射方向とは反対方向に出射する反射型の波長変換装置である。この波長変換装置５１は、波長変換素子５１１と、当該波長変換素子５１１を回転させる回転装置５１２と、波長変換素子５１１から伝達された熱を放熱する放熱部材５１３と、を有する。
【００５１】
これらのうち、回転装置５１２は、第３照明光軸Ａｘ３と略平行な回転軸を中心として波長変換素子５１１を回転させ、当該波長変換素子５１１において励起光ＥＬの入射位置を移動させる。これにより、波長変換素子５１１での熱飽和の発生を抑制している。
また、放熱部材５１３は、波長変換素子５１１において励起光ＥＬの入射側とは反対側の面に位置する。この放熱部材５１３は、波長変換素子５１１にて生じた熱を放熱し、当該波長変換素子５１１を冷却する。
【００５２】
波長変換素子５１１は、詳しい図示を省略するが、円板状の支持体と、当該支持体における入射面に位置する反射層と、当該反射層上に位置する波長変換層と、を有する。
これらのうち、波長変換層は、励起光ＥＬにより励起されて非偏光光である蛍光ＹＬ（例えば５００〜７００ｎｍの波長域にピーク波長を有する蛍光ＹＬ）を拡散出射する蛍光体を含む蛍光体層である。この波長変換層にて生じる蛍光ＹＬの一部は、第２集光素子５０側に出射され、他の一部は、反射層側に出射される。
反射層は、波長変換層から入射される蛍光ＹＬを第２集光素子５０側に反射させる。
このような波長変換素子５１１にて生じた蛍光ＹＬは、第２集光素子５０を介して光合成装置５２に入射される。
【００５３】
［光合成装置の構成］
光合成装置５２は、上記のように、第１照明光軸Ａｘ１と第３照明光軸Ａｘ３との交差部位に位置する。この光合成装置５２は、本実施形態では、波長に基づいて、青色光を透過し、緑色光及び赤色光を反射させるダイクロイックミラーによって構成されており、照明光軸Ａｘ１，Ａｘ３のそれぞれに対して傾斜して配置されている。
このため、第１光源部４１１から出射されて第１照明光軸Ａｘ１に沿って進行する青色光ＢＬは、当該第１照明光軸Ａｘ１に沿って光合成装置５２を通過する。
また、第２光源部４１２から出射されて上記反射部材４８によって反射された励起光ＥＬは、第３照明光軸Ａｘ３に沿って光合成装置５２を通過する。
一方、波長変換装置５１にて生成された上記蛍光ＹＬは、光合成装置５２によって、第１照明光軸Ａｘ１に沿うように反射される。
このような光合成装置５２により、第１集光素子４６から入射される青色光ＢＬと、第２集光素子５０から入射される蛍光ＹＬとは、第１照明光軸Ａｘ１に沿って位相差板５３側に出射され、これら青色光ＢＬ及び蛍光ＹＬが合成された白色の照明光が位相差板５３に入射される。
【００５４】
［位相差板の構成］
位相差板５３は、光合成装置５２から入射される照明光の偏光方向を回転させる。具体的に、位相差板５３は、入射される白色光に含まれる青色光ＢＬ及び蛍光ＹＬを、ｓ偏光及びｐ偏光が混在する円偏光に変換する。このような位相差板５３が設けられるのは、以下の理由による。
光合成装置５２から出射される蛍光ＹＬは非偏光光である。この蛍光ＹＬを形成するｐ偏光成分及びｓ偏光成分のうち、ｓ偏光成分は、上記偏光変換素子３１４に入射された際に、上記偏光分離層にて反射された後に反射層にて反射されて、当該偏光変換素子３１４から出射される。一方、ｐ偏光成分は、当該偏光分離層を通過した後に位相差層にてｓ偏光成分に変換されて、当該偏光変換素子３１４から出射される。このように、蛍光ＹＬについては、位相差板５３の有無に依らず、偏光変換素子３１４の光出射面の略全面から出射される。
【００５５】
一方、光合成装置５２から出射される青色光ＢＬはｓ偏光である。このため、上記位相差板５３が無い場合、青色光ＢＬが偏光変換素子３１４に入射された際に、当該青色光ＢＬの略全ては、偏光分離層及び反射層のそれぞれにて反射されるので、偏光変換素子３１４の光出射面において当該反射層に応じた位置のみから出射される。すなわち、青色光ＢＬについては、偏光変換素子３１４の光出射面からストライプ状に出射される。この場合、偏光変換素子３１４から出射された照明光のうち、蛍光ＹＬの通過領域と青色光ＢＬの通過領域とが異なることから、光源装置４から出射されて均一化装置３１を介した光束による照明領域である光変調装置３４３の画像形成領域にて照度むらが発生し、ひいては、当該光変調装置３４３によって形成されて投射される画像に色むらが発生する。
【００５６】
これに対し、上記位相差板５３によって、蛍光ＹＬ及び青色光ＢＬのそれぞれが、ｓ偏光及びｐ偏光が混在する光となることにより、上記偏光変換素子３１４の光出射面の略全面から蛍光ＹＬ及び青色光ＢＬが出射されることとなる。従って、上記照度むらの発生、ひいては、上記色むらの発生が抑制される。
【００５７】
以上説明した本実施形態に係るプロジェクター１によれば、以下の効果がある。
第１光源部４１１及び第２光源部４１２から出射された青色光ＢＬ及び励起光ＥＬは、それぞれ互いに平行な第１照明光軸Ａｘ１及び第２照明光軸Ａｘ２に沿って進行する。これらのうち、励起光ＥＬは、反射部材４８によって反射されて、上記第１照明光軸Ａｘ１に交差する第３照明光軸Ａｘ３に沿って進行して波長変換装置５１に入射される。これによれば、青色光ＢＬの光路より、励起光ＥＬの光路を長くすることができるので、アフォーカル光学装置４７や第２集光素子５０党の光学部品を配置する等して、当該励起光ＥＬの光束径を小さくしやすくすることができ、変換光である蛍光ＹＬを光合成装置５２に入射させやすくすることができる。また、第１光源部４１１及び第２光源部４１２が＋Ｚ方向に互いに並んで配置されていて、第１光源部４１１に対して第２光源部４１２が青色光ＢＬ及び励起光ＥＬの出射方向にずれていないこと、並びに、励起光ＥＬが、青色光ＢＬの光路のように一方向のみに直進するのではなく、反射部材４８によって反射されることにより、当該励起光ＥＬの光路長を長くしつつ、光源装置４をコンパクトに構成できる。従って、光源装置４の小型化を図ることができる。
【００５８】
また、青色光ＢＬを出射する第１光源部４１１と、励起光ＥＬを出射する第２光源部４１２とが、それぞれ設けられていることから、１つの光源部から出射された青色光の偏光方向を回転させて、ｓ偏光成分及びｐ偏光成分を生じさせる位相差素子や、これらｓ偏光成分及びｐ偏光成分を分離する偏光分離素子が必要ない。更に、制御装置６によって、第１光源部４１１及び第２光源部４１２の点灯を個別に制御することが可能であるので、青色光ＢＬ及び励起光ＥＬのそれぞれの光量を調整する場合でも、当該位相差素子を回動させる回動装置が必要ない。従って、光源装置４の小型化を図りやすくすることができる他、これら青色光ＢＬ及び励起光ＥＬの光量バランス、ひいては、光源装置４から出射される光束の色バランスを調整しやすくすることができる。
これらに加えて、光合成装置５２として、青色光ＢＬ及び励起光ＥＬを透過し、蛍光ＹＬを反射させるダイクロイックミラーを採用できる。従って、光合成装置５２に偏光分離素子が採用される場合に比べて、光源装置４を安価に構成できる。この他、光合成装置５２が、波長によって入射光の透過及び反射を実施できる。従って、入射される光の偏光状態がずれた場合でも、光源装置から出射される光の色バランスにずれが生じることを抑制できる。
【００５９】
アフォーカル光学装置４７を構成する第１レンズ４７１は、第２照明光軸Ａｘ２において第２光源部４１２と反射部材４８との間に配置され、当該第２光源部４１２から出射された励起光ＥＬを集光する。これによれば、上記第１レンズ４７１によって、第２光源部４１２から出射された励起光ＥＬを集光できるので、当該励起光ＥＬを効率よく波長変換装置５１に入射させることができる。
同じくアフォーカル光学装置４７を構成する第２レンズ４７２は、第３照明光軸Ａｘ３において反射部材４８と光合成装置５２との間に配置され、当該反射部材４８によって反射された励起光ＥＬを平行化する。そして、励起光用集光素子である第２集光素子５０は、第３照明光軸Ａｘ３において光合成装置５２と波長変換装置５１との間に配置され、励起光ＥＬを波長変換装置５１に集光させる。これによれば、波長変換装置５１に入射される励起光ＥＬの光束径を小さくすることができ、当該波長変換装置５１から拡散出射される蛍光ＹＬの光束径を小さくすることができる。従って、当該蛍光ＹＬを第２集光素子５０に入射させやすくすることができる。
更に、第２集光素子５０は、波長変換装置５１から入射される蛍光ＹＬを平行化して光合成装置５２に入射させる。これによれば、当該蛍光ＹＬが拡散されることを抑制できる。従って、光合成装置５２を介して出射される蛍光ＹＬと青色光ＢＬとの光束径を揃えやすくすることができる。
【００６０】
波長変換装置５１上での励起光ＥＬによる照明領域に照度むらが生じて、局所的に照度が高い励起光ＥＬが当該照明領域に入射されると、波長変換装置５１（波長変換素子５１１）に熱飽和が生じやすくなり、蛍光ＹＬへの波長変換効率が低下するだけでなく、波長変換装置５１の寿命が短縮される可能性がある。
これに対し、第３照明光軸Ａｘ３において第２レンズ４７２と光合成装置５２との間には、入射される励起光ＥＬを拡散させる拡散素子４９が配置されている。これによれば、当該拡散素子４９によって拡散された励起光ＥＬが、第２集光素子５０によって集光されて波長変換装置５１に入射されるので、波長変換装置５１上の照明領域に照度むらが発生することを抑制できる。従って、上記熱飽和の発生を抑制でき、蛍光ＹＬへの波長変換効率の低下、及び、波長変換装置５１の寿命の短縮を抑制できる。
【００６１】
第１光源部４１１から出射される青色光ＢＬは、各固体光源ＳＬ１から出射された青色のレーザー光であるため、当該青色光ＢＬが散乱されるとスペックルが確認される。このようなスペックルは、プロジェクター１によって表示される画像の画質を劣化させる。
これに対し、第１照明光軸Ａｘ１において第１光源部４１１と光合成装置５２との間に配置された拡散装置４５によって、青色光ＢＬが拡散されることにより、上記スペックルを低減できる。従って、上記画像の劣化を抑制できる。
更に、拡散装置４５は、入射された光を透過させつつ拡散させる透過型の拡散装置である。このため、反射型の拡散装置が採用される場合に比べて、青色光ＢＬの光路長が延びることを抑制でき、光源装置４の小型化を図りやすくすることができる。
【００６２】
第１光源部４１１は、それぞれ青色光ＢＬを出射する複数の固体光源ＳＬ１を有する。また、第１照明光軸Ａｘ１において第１光源部４１１と拡散装置４５との間には、複数の固体光源ＳＬ１から出射された青色光ＢＬを拡散装置４５に重畳させる重畳素子としての集光レンズ４３が配置されている。これによれば、上記第２集光素子５０と同様に、集光レンズ４３によって、各固体光源ＳＬ１から出射された青色光ＢＬを拡散装置４５に効率よく入射させることができる。また、この集光レンズ４３は、各固体光源ＳＬ１から出射された光を拡散装置４５に重畳させるので、当該拡散装置４５から出射される拡散光に、輝度むらが生じることを抑制でき、当該拡散装置４５から出射される青色光ＢＬの中心軸に直交する面内の照度を略均一にすることができる。従って、光源装置４から出射された光束による照明領域である光変調装置３４３の画像形成領域に照度むらが発生することを抑制でき、ひいては、当該光束によって形成及び表示される画像に色むらが発生することを抑制できる。なお、この集光レンズ４３は１枚のレンズである。このため、集光レンズ４３が配置されることによって青色光ＢＬの光路が長くなることが抑制されるので、光源装置４の小型化を図りやすくすることができる。
【００６３】
拡散装置４５にて拡散された青色光ＢＬが光合成装置５２にそのまま入射されると、当該青色光ＢＬが進行するに従って光束径が大きくなる。
これに対し、第１照明光軸Ａｘ１において拡散装置４５と光合成装置５２との間には、当該拡散装置４５から出射された青色光ＢＬを平行化して光合成装置５２に入射させる平行化素子としての第１集光素子４６が配置されている。これによれば、青色光ＢＬの広がりを抑制できる。また、光源装置４は、励起光用集光素子としての第２集光素子５０を有するので、これら第１集光素子４６及び第２集光素子５０によって、青色光ＢＬ及び蛍光ＹＬのそれぞれの光束径を揃えやすくすることができる。このため、光源装置４から出射された光束が最初に入射される光学部品である第１レンズアレイ３１１において、青色光による照明範囲と変換光による照明範囲とを一致させやすくすることができる。従って、当該第１レンズアレイ３１１にて照度低下及び色バランスのくずれが発生することを抑制でき、ひいては、表示される画像の色バランスのくずれや色むらが発生することを抑制できる。
【００６４】
光合成装置５２は、入射される光の波長に基づいて、青色光ＢＬ及び励起光ＥＬを透過し、蛍光ＹＬを反射させる。これによれば、光合成装置５２としてダイクロイックミラーを採用できるので、当該光合成装置５２として偏光分離素子が採用される場合に比べて、光源装置４を安価に構成できる。この他、光合成装置５２での青色光ＢＬ及び励起光ＥＬの透過、並びに、蛍光ＹＬの反射を、偏光状態ではなく波長に応じて実施できる。このため、当該光合成装置５２に入射される光（青色光ＢＬ、励起光ＥＬ及び蛍光ＹＬ）の偏光状態がずれた場合でも、光源装置４から出射される光の色バランスにずれが生じることを抑制できる。なお、光合成装置５２として、ダイクロイックミラーに代えてダイクロイックプリズムが採用されてもよい。
【００６５】
第１光源部４１１及び第２光源部４１２は、隙間ＧＰを介して配置されている。これによれば、当該隙間ＧＰによって、第１光源部４１１及び第２光源部４１２の一方にて生じた熱が他方に伝達されにくくすることができる。従って、これら第１光源部４１１及び第２光源部４１２の温度上昇を抑制でき、青色光ＢＬ及び励起光ＥＬの出射効率が低下することを抑制できる。
【００６６】
光源部４１は、第１光源部４１１及び第２光源部４１２と接続される放熱部材４１３を備える。これによれば、放熱部材４１３によって、第１光源部４１１及び第２光源部４１２にて生じた熱を放熱できる。従って、これら第１光源部４１１及び第２光源部４１２の温度上昇を抑制でき、青色光ＢＬ及び励起光ＥＬの出射効率の低下を抑制できる。この他、第１光源部４１１及び第２光源部４１２のそれぞれに応じて放熱部材を設ける必要がないので、部品点数の増加を抑制できる。
【００６７】
励起光ＥＬは、波長変換装置５１に入射されて蛍光ＹＬに変換される。この波長変換装置５１は、青色光ＢＬと合成される蛍光ＹＬ（黄色光）を生成し、これらが合成された白色光を光源装置４が出射するので、波長変換装置５１に入射される励起光ＥＬの光量は、第１光源部４１１が出射する青色光ＢＬより多くの光量が必要となる。更に、波長変換装置５１による励起光ＥＬから蛍光ＹＬへの波長変換効率を考慮すると、更に多くの励起光ＥＬが必要となる。
これに対し、第２光源部４１２に配設された固体光源ＳＬ２（励起固体光源）の数は、第１光源部４１１に配設された固体光源ＳＬ１（青色固体光源）の数より多い。これによれば、第１光源部４１１から出射される青色光ＢＬの光量より多くの励起光ＥＬを第２光源部４１２が確実に出射できる。従って、光源装置４により白色光を出射しやすくすることができる。
【００６８】
［実施形態の変形］
本発明は、上記実施形態に限定されるものではなく、本発明の目的を達成できる範囲での変形、改良等は本発明に含まれるものである。
上記実施形態では、波長変換装置５１は、波長変換素子５１１、回転装置５１２及び放熱部材５１３を有する構成であった。しかしながら、これに限らず、波長変換装置５１は、波長変換素子５１１を有する構成であればよく、必ずしも回転装置５１２及び放熱部材５１３は無くてもよい。また、波長変換装置５１は、励起光ＥＬの入射方向とは反対方向に蛍光ＹＬを拡散出射する反射型の波長変換装置として構成した。しかしながら、これに限らず、透過型の波長変換装置を光源装置に採用してもよい。
【００６９】
上記実施形態では、拡散装置４５は、拡散層を有する基板４５１と、回転装置４５２とを備える構成であった。しかしながら、これに限らず、拡散装置４５は、基板４５１を有する構成であればよく、必ずしも回転装置４５２は無くてもよい。なお、上記のように、基板４５１が回転されることによって、スペックルを好適に低減させることができる。
また、拡散装置４５は、入射される青色光ＢＬを拡散透過させるとした。しかしながら、これに限らず、拡散装置４５は、入射される青色光ＢＬを拡散反射させる構成としてもよい。更に、このような拡散装置４５は、無くてもよい。この場合、第１光源部４１１の各固体光源ＳＬ１から出射される青色光を拡散させる拡散素子を、当該固体光源ＳＬ１毎に設けてもよい。そして、この場合、集光レンズ４３、補助拡散素子４４及び第１集光素子４６は無くてもよい。
【００７０】
上記実施形態では、光合成装置５２は、青色光ＢＬを透過させ、蛍光ＹＬを反射させることによって、これら青色光ＢＬ及び蛍光ＹＬを合成するダイクロイックミラーを有する構成とした。しかしながら、これに限らず、光合成装置５２は、青色光ＢＬ及び蛍光ＹＬを合成できれば、他の構成としてもよい。
【００７１】
上記実施形態では、補助拡散素子４４は、集光レンズ４３と拡散装置４５との間に配置されていた。しかしながら、これに限らず、補助拡散素子４４は、集光レンズ４３に対して青色光ＢＬの入射側に位置していてもよい。
また、補助拡散素子４４は、拡散装置４５より拡散率が低い拡散板（擦りガラス）であるとした。しかしながら、これに限らず、入射される青色光ＢＬを拡散出射させることができれば、他の構成でもよい。
【００７２】
上記実施形態では、光源装置４は、第１光源部４１１の各固体光源ＳＬ１から出射された青色光ＢＬを拡散装置４５に重畳させる重畳素子としての集光レンズ４３を有するとした。しかしながら、これに限らず、このような集光レンズ４３は無くてもよい。また、集光レンズ４３は、各固体光源ＳＬ１から出射された青色光ＢＬを拡散装置４５に集光できれば、当該青色光ＢＬを必ずしも重畳させなくてもよい。更に、上記した重畳素子の機能を実現できれば、重畳素子は、１枚のレンズでなくてもよく、他の構成でもよい。
【００７３】
上記実施形態では、第１光源部４１１と第２光源部４１２とは、＋Ｚ方向に沿って並んで配置されているとした。しかしながら、これに限らず、第１光源部４１１に対して、第２光源部４１２が、励起光ＥＬの出射側とは反対側（すなわち−Ｘ方向側）にずれていてもよい。なお、第１光源部４１１及び第２光源部４１２が、＋Ｚ方向に並んでいれば、一方の光源部が他方の光源部に対して−Ｘ方向側に突出しないので、光源装置を一層小型化できる。
また、上記実施形態では、第１光源部４１１及び第２光源部４１２は、支持部材としても機能する放熱部材４１３によって一体化されているとした。しかしながら、これに限らず、第１光源部４１１及び第２光源部４１２を一体化する放熱部材４１３は無くてもよい。例えば、第１光源部４１１及び第２光源部４１２のそれぞれに放熱部材を設けてもよい。また、第１光源部４１１及び第２光源部４１２が一体化され、光源部４１から出射される青色光を、当該青色光の通過領域によって分けてもよい。すなわち、１つの光源部において、第１光源部に相当する領域から出射された光を青色光とし、第２光源部に相当する領域から出射された光を励起光として利用してもよい。
【００７４】
上記実施形態では、励起光ＥＬの光路上に、第１レンズ４７１及び第２レンズ４７２を有するアフォーカル光学装置４７を配置した。また、当該励起光ＥＬの光路上に、アフォーカル光学装置４７から出射された平行光を波長変換装置５１に集光するとともに、当該波長変換装置５１から出射された蛍光ＹＬを平行化する第２集光素子５０（励起光用集光素子）を配置した。しかしながら、これらアフォーカル光学装置４７及び第２集光素子５０は、無くてもよい。例えば、光源装置４において、第２レンズ４７２に代えて、反射部材４８が、入射される励起光ＥＬを平行化する機能を備えていてもよい。なお、波長変換装置５１への励起光ＥＬの入射効率や、出射された蛍光ＹＬの利用効率を考慮すれば、波長変換装置５１に対する励起光ＥＬの入射側に第２集光素子５０が配置される構成が好ましい。
【００７５】
上記実施形態では、第３照明光軸Ａｘ３において第２レンズ４７２と光合成装置５２との間に、上記ホモジナイザー光学装置の代わりとなる拡散素子４９が配置されるとした。しかしながら、これに限らず、拡散素子４９は無くてもよく、当該拡散素子４９に代えて上記ホモジナイザー光学装置を配置してもよい。更に、このような拡散素子４９は無くてもよい。
【００７６】
上記実施形態では、第２光源部４１２が有する固体光源ＳＬ２の数は、第１光源部４１１が有する固体光源ＳＬ１の数より多いとし、第２光源部４１２から出射される励起光ＥＬの光量は、第１光源部４１１から出射される青色光ＢＬの光量より多いとした。しかしながら、これに限らず、第１光源部４１１が有する固体光源ＳＬの数と、第２光源部４１２が有する固体光源ＳＬの数とは、一致していてもよく、前者が後者より多くてもよい。この場合、例えば、制御装置６によって、第１光源部４１１から出射される青色光ＢＬの光量と、第２光源部４１２から出射される励起光ＥＬの光量とが調整されてもよい。
【００７７】
上記実施形態では、プロジェクター１は、それぞれ液晶パネルを有する光変調装置３４３（３４３Ｒ，３４３Ｇ，３４３Ｂ）を備えるとした。しかしながら、これに限らず、２つ以下、あるいは、４つ以上の光変調装置を備えるプロジェクターにも、本発明を適用可能である。
また、上記実施形態では、画像投射装置３は、上記光学部品が図２にて示したレイアウトで配置された構成とした。しかしながら、これに限らず、画像投射装置３において、当該レイアウトは適宜変更可能であり、一部の光学部品を省略してもよい。
【００７８】
上記実施形態では、光変調装置３４３は、光入射面と光出射面とが異なる透過型の液晶パネルを有する構成であった。しかしながら、これに限らず、光変調装置３４３は、光入射面と光出射面とが同一となる反射型の液晶パネルを有する構成としてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【００７９】
上記実施形態では、投射光学装置３５は、当該投射光学装置３５における光路最下流に配置されて、複数のレンズ３５１から入射される画像光を折り返す非球面ミラー３５２を有する構成とした。しかしながら、これに限らず、投射光学装置３５は、このような非球面ミラー３５２を備えていなくてもよい。すなわち、投射光学装置３５は、レンズ３５１の光軸（−Ｚ方向に沿う光軸）に沿って入射された画像光を、当該光軸に沿って投射する構成としてもよい。
【００８０】
上記実施形態では、本発明の光源装置４をプロジェクターに適用した例を挙げた。しかしながら、これに限らず、例えば、照明器具及び自動車等のヘッドライト等に、本発明に係る光源装置を採用してもよい。
【符号の説明】
【００８１】
１…プロジェクター、３４３（３４３Ｂ，３４３Ｇ，３４３Ｒ）…光変調装置、３５…投射光学装置、４…光源装置、４１…光源部、４１１…第１光源部、４１２…第２光源部、４１３…放熱部材、４２…プリズムミラー、４３…集光レンズ（重畳素子）、４４…補助拡散素子、４５…拡散装置、４５１…基板、４５２…回転装置、４６…第１集光素子（平行化素子）、４６１〜４６３…レンズ、４７…アフォーカル光学装置、４７１…第１レンズ、４７２…第２レンズ、４８…反射部材、４９…拡散素子、５０…第２集光素子（励起光用集光素子）、５０１〜５０３…レンズ、５１…波長変換装置、５１１…波長変換素子、５１２…回転装置、５１３…放熱部材、５２…光合成装置、５３…位相差板、Ａｘ１…第１照明光軸、Ａｘ２…第２照明光軸、Ａｘ３…第３照明光軸、ＢＬ…青色光、ＥＬ…励起光、ＧＰ…隙間、ＳＬ…固体光源、ＳＬ１…固体光源（青色固体光源）、ＳＬ２…固体光源（励起固体光源）、ＳＵ…固体光源ユニット、ＹＬ…蛍光（変換光）。
【図１】
2018124445.tif 000003
【図２】
2018124445.tif 000004
【図３】
2018124445.tif 000005
【図４】
2018124445.tif 000006